(57)【特許請求の範囲】
【請求項１】
一端側開口に取付け部を有する筒状の灯体と；
前記取付け部に配設された発光ダイオードと；
出力巻線に出力変化用の中間タップを有する絶縁形のカレントトランスを備え、このカレントトランスの出力巻線または中間タップを介して発光ダイオードに選択的に電流を供給して発光ダイオードを点灯する電流可変の点灯装置と；
灯体の取付け部に露出するように設けられた手動操作部を有し、この手動操作部の操作により、発光ダイオードとカレントトランスの出力巻線または中間タップとを選択的に接続する機械的切換えスイッチと；
機械的切換えスイッチの手動操作部を内包し灯体の一端側開口を覆うようにして灯体の一端側に着脱可能に取り付けられた透光性の保護カバーと；
を具備していることを特徴とするＬＥＤ標識灯。
【請求項２】
発光ダイオードからの放射光を所定の方向に変向する光制御手段を具備し、機械的切換えスイッチの手動操作部は、光制御手段の下面よりも灯体の内方側に設けられていることを特徴とする請求項1記載のＬＥＤ標識灯。
【発明の詳細な説明】
【技術分野】
【０００１】
本発明は、発光ダイオードが所定の光度比率で点灯されるＬＥＤ標識灯に関する。
【背景技術】
【０００２】
従来、誘導路用標識灯のような低光度用の地上型航空標識灯では、光源にハロゲン電球などの白熱電球を用いた電球式標識灯が使用され、実用上、例えば定格の２５％の光度比率で点灯されている。近年、その白熱電球に代えて光源に発光ダイオードを用いたＬＥＤ式標識灯が検討されている。光源に発光ダイオードを用いれば、省電力となるとともに、長寿命となるので、メンテナンス費用を大幅に削減することができる。また、発光ダイオードの種類に応じて各種の色光が得られるので、色フィルターなどを不要とすることができるなどの利点を有する。そして、全ての電球式標識灯をＬＥＤ式標識灯に置き換えると、設備費用が莫大となるので、現在のところ、電球式標識灯およびＬＥＤ式標識灯を混合し、共通の交流定電流電源に直列的に接続することが現実的である。
【０００３】
ところで、白熱電球における電流に対する光出力特性と、発光ダイオードにおける電流に対する光出力特性とは、図７に示すように、大きく異なっている。すなわち、白熱電球は、電流に対して光出力が指数関数的に変化し、例えば定格電流６．６Ａで定格点灯（１００％点灯）され、５．２Ａ（定格電流の７９％）で定格の２５％の光度比率で点灯される。これに対し、発光ダイオードは、電流に対して光出力が直線的に変化し、定格電流６．６Ａで定格点灯（１００％点灯）され、５．２Ａで定格の７９％の光度比率で点灯され、定格の２５％の光度比率で点灯される電流が１．７Ａ（定格電流の２５％）となっている。ここで、電流は、交流定電流電源から供給された電流であり、カレントトランスの一次巻線に流れる電流を示している。発光ダイオードは、実際のところ、カレントトランスの二次巻線に流れる電流により、定格電流０．３５Ａ、定格の２５％の光度比率で点灯される電流が０．０９Ａ（定格電流の２５％）となっている。
【０００４】
このような状況において、交流定電流電源から低光度用の５．２Ａの電流が供給されると、電球式標識灯からは定格の２５％の光度比率の光出力がなされるが、ＬＥＤ式標識灯からは定格の７９％の光度比率の光出力がなされることになる。したがって、直列的に接続された電球式標識灯およびＬＥＤ式標識灯がそれぞれ所定の光度比率（例えば、定格点灯の２５％）の光出力をするように、ＬＥＤ式標識灯において発光ダイオードの光出力を調整することが行われている。例えば、交流定電流電源からの出力電流に対して、発光ダイオードの光度が電球の光度と同じになるように発光ダイオードに流れる電流をデューティ制御するＬＥＤ式標識灯点灯装置が提案されている（特許文献１参照。）。この従来技術のＬＥＤ式標識灯点灯装置は、交流定電流電源からの出力電流を検出する入力電流検出回路、交流定電流電源からの出力電流に対して、発光ダイオードにおける電流に対する光出力特性を電球における電流に対する光出力特性に変換する特性変換回路および発光ダイオードに流れる電流が特性変換回路で変換された電流となるようにデューティ制御するデューティ制御回路などを有するものである。
【０００５】
しかし、発光ダイオードを低光度（例えば、定格の２５％）で点灯させるＬＥＤ標識灯に対して、特許文献１に示すＬＥＤ式標識灯点灯装置は、入力電流検出回路、特性変換回路およびデューティ制御回路などを有するので、高機能であり、高価にさせるという欠点を有する。そこで、低光度用として、簡素な構成であって、安価で省電力でもある図５に示す点灯装置５を具備する地上型ＬＥＤ標識灯を使用することが考えられている。
【０００６】
点灯装置５は、カレントトランス１３の二次巻線１３ｂの両端にそれぞれ一端接続部２１ａおよび他端接続部２１ｂが設けられ、二次巻線１３ｂの中間に中間接続部２１ｃが設けられたものであり、一端接続部２１ａおよび他端接続部２１ｂ、または一端接続部２１ａおよび中間接続部２１ｃのいずれかに機械的切換えスイッチ６により整流装置２０の入力側が接続されるものである。そして、整流装置２０の出力側に発光ダイオード３および抵抗素子Ｒ１が直列接続されている。そして、点灯装置５は、その回路部品が回路基板に実装されて収納ボックスに収納され、機械的切換えスイッチ６は、例えば収納ボックスに取り付けられている。
【０００７】
地上型ＬＥＤ標識灯は、通常、整流装置２０の入力側がカレントトランス１３の一端接続部２１ａおよび他端接続部２１ｂに接続され、カレントトランス１３の一次巻線１３ａには、交流定電流電源から定格電流（６．６Ａ）よりも減じた所定の電流（５．２Ａ）が供給される。そして、発光ダイオード３は、所定の電流（０．０９Ａ）が流れて、所定の光度比率（２５％）で点灯するものである。
【０００８】
そして、地上型ＬＥＤ標識灯は、定期点検（メンテナンス）時には、路面設置から取り外されて持ち帰り、整流装置２０の入力側がカレントトランス１３の一端接続部２１ａおよび中間接続部２１ｃに接続され、一次巻線１３ａに定格電流を流して、発光ダイオード３の光出力などの定格点灯状態の検査が行われる。そして、当該検査に合格すると、再び元の状態に設置されるものである。
【特許文献１】特開２００６−１３９７５５号公報（第８−９頁、第１図）
【発明の開示】
【発明が解決しようとする課題】
【０００９】
点灯装置５を収納する収納ボックスは、通常、灯体の内部に配設されているので、定期点検時において、機械的切換えスイッチ６により整流装置２０の入力側をカレントトランス１３の二次巻線１３ｂの他端接続部２１ｂから中間接続部２１ｃに切り換えるときに、例えば、収納ボックスを灯体の内部から外部に引き出すことが考えられる。このため、多数の地上型ＬＥＤ標識灯に対する機械的切換えスイッチ６の切換作業は、煩わしさを伴い、定期点検時の点検作業に時間を要することが考えられる。
【００１０】
また、点検終了後、当初の状態である整流装置２０の入力側をカレントトランス１３の二次巻線１３ｂの一端接続部２１ａおよび他端接続部２１ｂに切り換えることを忘れることも考えられ、上記の切換作業を繰り返すことで多大の時間を要するということが考えられる。
【００１１】
本発明は、実用使用時および定期点検時における点灯装置での機械的切換えスイッチによる接続の切り換えが迅速に行える低光度で使用されるＬＥＤ標識灯を提供することを目的とする。
【課題を解決するための手段】
【００１２】
請求項１に記載のＬＥＤ標識灯の発明は、一端側開口に取付け部を有する筒状の灯体と；前記取付け部に配設された発光ダイオードと；出力巻線に出力変化用の中間タップを有する絶縁形のカレントトランスを備え、このカレントトランスの出力巻線または中間タップを介して発光ダイオードに選択的に電流を供給して発光ダイオードを点灯する電流可変の点灯装置と；灯体の取付け部に露出するように設けられた手動操作部を有し、この手動操作部の操作により、発光ダイオードとカレントトランスの出力巻線または中間タップとを選択的に接続する機械的切換えスイッチと；機械的切換えスイッチの手動操作部を内包し灯体の一端側開口を覆うようにして灯体の一端側に着脱可能に取り付けられた透光性の保護カバーと；を具備していることを特徴とする。
【００１３】
本発明および以下の各発明において、特に言及しない限り、各構成は以下による。
【００１４】
発光ダイオードは、１個であってもよく、複数個であってもよい。そして、発光ダイオードは、灯体の取付け部において、灯体の外方側に配設される。
【００１５】
機械的切換えスイッチは、灯体の取付け部に設けられてもよく、当該取付け部以外に設けた取付部材に設けられてもよい。
【００１７】
機械的切換えスイッチの手動操作部が露出する灯体の取付け部の部位は、灯体の外方側である。
【００２０】
機械的切換えスイッチは、発光ダイオードとカレントトランスの出力巻線または中間タップとを直接に接続するようにしてもよく、機械的切換えスイッチの手動操作によりオンオフするリレーなどを介して接続してもよい。
【００２１】
本発明によれば、機械的切換えスイッチの手動操作部が灯体の取付け部に露出するので、保護カバーを灯体の一端側から取り外すことにより、直に機械的切換えスイッチの手動操作部を操作することができ、発光ダイオードとカレントトランスの出力巻線または中間タップとの選択的な接続作業が容易にかつ迅速に行える。
【００２２】
請求項２に記載のＬＥＤ標識灯の発明は、請求項1記載のＬＥＤ標識灯において、発光ダイオードからの放射光を所定の方向に変向する光制御手段を具備し、機械的切換えスイッチの手動操作部は、光制御手段の下面よりも灯体の内方側に設けられていることを特徴とする。
【００２３】
光制御手段は、例えばプリズムであり、灯体の取付け部に設けられてもよく、当該取付け部以外に設けた取付部材に設けられてもよい。プリズムは、発光ダイオードを被うようにして設けられる。
【００２４】
本発明によれば、機械的切換えスイッチの手動操作部は、光制御手段の下面よりも灯体の内方側で灯体の中心軸方向と略直交する方向側から操作され、光制御手段の外表面に指などが接触することが抑制される。また、手動操作部は、光制御手段よりも灯体の内方側に位置するので、光制御手段により変向された発光ダイオードからの放射光が手動操作部により遮断されない。
【発明の効果】
【００２５】
請求項１の発明によれば、保護カバーを灯体の一端側から取り外すことにより、機械的切換えスイッチによる発光ダイオードとカレントトランスの出力巻線または中間タップとの選択的な接続作業が容易にかつ迅速に行えるので、定期点検などにおける作業時間を短縮することができて省力化を図ることができる。
【００２７】
請求項２の発明によれば、機械的切換えスイッチの手動操作部を操作するときに、指などが光制御手段に接触することが抑制されるので、光制御手段が汚れることや傷つくことを抑制することができるともに、光制御手段で変向された発光ダイオードからの放射光が手動操作部により遮断されないので、灯体の周方向に所定の配光で照明することができる。
【発明を実施するための最良の形態】
【００２８】
以下、本発明の一実施の形態について、図面を参照して説明する。
【００２９】
図１ないし図７は、本発明の一実施の形態を示し、図１はＬＥＤ標識灯の一部切り欠き概略側面図、図２はＬＥＤ標識灯の保護カバーを取り外した状態の概略側面図、図３はＬＥＤ標識灯の保護カバーを取り外した状態の概略上面図、図４はプリズムを示し、（ａ）は概略上面図、（ｂ）は概略縦断面図、図５は点灯装置の概略回路図、図６は発光ダイオードからの放射光による配光図、図７は光源の電流に対する光出力の変化を示す特性図である。
【００３０】
図１において、ＬＥＤ標識灯１は、地上型航空標識灯であり、灯体２、発光ダイオード３、光制御手段としてのプリズム４、点灯装置５、機械的切換えスイッチ６および保護カバー７を有して構成されている。
【００３１】
ＬＥＤ標識灯１は、発光ダイオード３から放射された光をプリズム４で屈折させて、主として灯体２の周方向を照明するものである。そして、発光ダイオード３は、点灯装置５により点灯制御され、実用使用時には、低光度例えば定格の２５％の光度比率で点灯され、定期点検時には、定格点灯される。点灯装置５は、機械的切換えスイッチ６の切換え操作に応じて電流を可変して発光ダイオード３を低光度または定格で点灯させるように構成されている。そして、機械的切換えスイッチ６は、保護カバー７を灯体２から取り外すことにより、灯体２の外方側から直接的に切換え操作できるように配設している。
【００３２】
灯体２は、例えばアルミニウム(Ａｌ)からなり、図２に示すように、一端側２ａの内側に、内方に突出する突出部８を略円筒状に形成している。この突出部８には、略円盤状の土台９がねじ１０により固定されている。土台９は、灯体２の内部に収容するようにして例えばアルミニウム(Ａｌ)からなる収納箱１１を溶接により一体に取り付けているとともに、灯体２の外方側に台座１２を図示しないねじにより固定している。すなわち、灯体２は、一端側開口２ｃに取付け部としての台座１２を有している。
【００３３】
収納箱１１には、点灯装置５のカレントトランス１３および点灯ユニット１４が収納されている。点灯ユニット１４は、カレントトランス１３以外の発光ダイオード３を点灯する回路部品を有して形成されている。台座１２には、発光ダイオード３を実装している基板１５が発光ダイオード３を灯体２の外方側となるようにして固定され、さらに発光ダイオード３を被うようにして設けられたプリズム４が固定されている。
【００３４】
発光ダイオード３は、ＬＥＤ標識灯１の配設場所などに応じて赤色、青色や緑色などの色光を放射する構造に形成されている。また、レンズ１６を具備して、主として自身の光軸(図中、上方向)に対する周方向に光を放射する構造に形成されている。そして、発光ダイオード３は、1個が円形状の基板１５に実装されている。
【００３５】
基板１５は、発光ダイオード３の光軸が灯体２の中心軸とほぼ一致するようにして、灯体２の一端側開口２ｃに設けられた取付け部としての台座１２に図示しないねじにより取り付けられている。これにより、発光ダイオード３は、灯体２に対して灯体２の中心軸方向を向いて配設されるとともに、灯体２の周方向に光を放射する。そして、発光ダイオード３は、点灯ユニット１４から給電されて、低光度例えば定格の２５％の光度比率または定格で点灯する。
【００３６】
プリズム４は、例えばアクリル樹脂からなり、図４に示すように、一対の耳部４ａ，４ａを有して外形がドーム状に形成されている。そして、内部に内部空間１７およびドーム状の外表面４ｂに孔１８がそれぞれ形成されている。内部空間１７は、円柱状の内部空間１７ａおよび略砲弾状の内部空間１７ｂに形成されている。内部空間１７ａは、発光ダイオード３を被うことのできる大きさに形成されている。内部空間１７ｂには、外表面４ｂから孔１８が形成されている。
【００３７】
孔１８は、内部空間１７と外表面４ｂ側の外気を通気するものであり、円柱状に形成され、図４（ａ）に示すように、外表面４ｂに三角形の頂点の位置となるようにして３個形成されている。この３個の中心部位は、プリズム４が発光ダイオード３を被ったときの発光ダイオード３の光軸の延長線上に位置するものである。
【００３８】
そして、プリズム４は、内部空間１７で発光ダイオード３を被うようにして灯体２の台座１２に固定されている。すなわち、図３に示すように、耳部４ａ、４ａの孔１９，１９を介してねじ２０が台座１２に螺着されている。台座１２は、ねじ２１により土台９に固定されている。そして、プリズム４が台座１２に固定された状態で、発光ダイオード３の光軸の延長線上にプリズム４の外表面４ｂに形成された３個の孔１８の中心が位置するものである。また、その中心は、灯体２の一端側開口２ｃの中心上に位置するものである。また、プリズム４は、台座１２に固定された状態で、図２に示すように、灯体２の一端側２ａの端面２ａａから灯体２の外方に突出するように設けられている。
【００３９】
プリズム４は、発光ダイオード３から放射された光を灯体２の周方向側に屈折して出射するものである。すなわち、プリズム４は、発光ダイオード３から光軸の周方向に放射された光をさらに光軸から遠ざかる方向に屈折する。これにより、図６に示すように、発光ダイオード３からの光が主として灯体２の周方向に出射された所定の配光パターンが得られる。そして、プリズム４は、灯体２の一端側２ａの端面２ａａから灯体２の外方に突出しているので、プリズム４から出射された光が灯体２の一端側２ａでケラレルことがなく、当該出射光が所定の配光の形成にほぼ寄与している。このように、プリズム４は、発光ダイオード３からの放射光を所定の方向である灯体２の周方向に変向するものである。
【００４０】
点灯装置５は、図５に示すように、カレントトランス１３と、図示しない基板に実装されて点灯ユニット１４に収納されている整流装置２０、抵抗Ｒ１およびバリスタＶＡ１などを有して構成されている。
【００４１】
カレントトランス１３は、互いに絶縁された入力巻線である一次巻線１３ａおよび出力巻線としての二次巻線１３ｂを有している。そして、二次巻線１３ｂの両端にそれぞれ一端接続部２１ａおよび他端接続部２１ｂが設けられ、中間に出力変化用の中間タップとしての中間接続部２１ｃが設けられている。一次巻線１３ａは、他の点灯装置５のカレントトランス１３および電球式標識灯のカレントトランスと直列的に接続され、出力可変の交流定電流電源（図示しない。）に接続されている。そして、実用使用時、交流定電流電源から発光ダイオード３を低光度（例えば定格の２５％の光度比率）で点灯させるための相対的に小さい所定の電流（例えば５．２Ａ）が供給される。また、定期点検時などにおいて、発光ダイオード３を定格点灯させるための相対的に大きい定格電流（例えば６．６Ａ）が供給されるものである。
【００４２】
整流装置２０は、入力側の一端がカレントトランス１３の一端接続部２１ａに接続され、入力側の他端が機械的切換えスイッチ６の固定接点６ｃに接続されている。そして、機械的切換えスイッチ６の一方の自由接点６ａは、リード線２２ａによりカレントトランス１３の中間接続部２１ｃに接続され、他方の自由接点６ｂは、リード線２２ｂによりカレントトランス１３の他端接続部２１ｂに接続されている。
【００４３】
整流装置２０の入力側は、カレントトランス１３の一次巻線１３ａに相対的に小さい所定の電流（５．２Ａ）が供給されるときには、機械的切換えスイッチ６の切換え操作により固定接点６ｃおよび自由接点６ｂが接続されて、カレントトランス１３の一端接続部２１ａおよび他端接続部２１ｂに接続され、カレントトランス１３の一次巻線１３ａに相対的に大きい定格電流（６．６Ａ）が供給されるときには、機械的切換えスイッチ６の切換え操作により固定接点６ｃおよび自由接点６ａが接続されて、カレントトランス１３の一端接続部２１ａおよび中間接続部２１ｃに接続されるものである。整流装置２０の入力側の一端および他端には、サージ吸収用のバリスタＶＡ１が接続されている。
【００４４】
そして、整流装置２０の出力間には、発光ダイオード３および抵抗素子Ｒ１の直列回路が接続されている。整流装置２０は、カレントトランス１３の二次巻線１３ｂに流れる電流を整流して発光ダイオード３に供給する。発光ダイオード３は、整流装置２０により整流された電流が流れることによって点灯し、所定の色光を放射する。
【００４５】
このように、発光ダイオード３は、機械的切換えスイッチ６の切換え操作により、整流装置２０を介してカレントトランス１３の二次巻線１３ｂの一端接続部２１ａおよび他端接続部２１ｂ、または一端接続部２１ａおよび中間接続部２１ｃを介して選択的に電流が供給される。すなわち、カレントトランス１３の一次巻線１３ａに所定の電流（５．２Ａ）が供給されたときに、整流装置２０から低光度用の電流（０．０９Ａ）が供給されて、所定の光度比率（定格の２５％の光度比率）で点灯する。また、カレントトランス１３の一次巻線１３ａに定格電流（６．６Ａ）が供給されたときに、整流装置２０から定格の電流（０．３５Ａ）が供給されて、定格点灯する。
【００４６】
上述したように、点灯装置５は、発光ダイオード３に選択的に電流を供給して発光ダイオード３を点灯する電流可変に形成されている。そして、機械的切換えスイッチ６は、その切換え操作により、点灯装置５から発光ダイオード３に選択的に電流が供給されるように発光ダイオード３と点灯装置５とを接続するものである。
【００４７】
機械的切換えスイッチ６は、例えばトルグスイッチからなり、図２に示すように、棒状の手動操作部６ｄが灯体２の土台９から外方側に突出するようにして土台９に取り付けられている。また、直方体形状の本体６ｅが収納箱１１に設けられている固定部２３に図示しないねじにより固定されている。ここで、手動操作部６ｄは、灯体２の一端側２ａの端面２ａａよりも灯体２の内方側に位置し、かつプリズム４の下面４ｃに対向するように土台９に取り付けられている。
【００４８】
プリズム４は、灯体２の端面２ａａよりも灯体２の外方側に設けられているので、手動操作部６ｄは、プリズム４よりも灯体２の内方側に設けられる。これにより、プリズム４から灯体２の周方向に出射される光が手動操作部６ｄで遮られることが防止される。また、手動操作部６ｄがプリズム４の下面４ｃに対向して設けられることにより、図３に示すように、手動操作部６ｄの一部がプリズム４で隠される。したがって、手動操作部６ｄは、プリズム４の外表面４ｂ側から操作されることがなく、プリズム４の下面４ｃよりも灯体２の内方側で、灯体２の中心軸方向と直交する方向側から操作される。これにより、手動操作部６ｄを操作するときに、プリズム４に指などが触れないようにすることができるので、外表面４ｂに汚れが付着することや傷が付くことが抑制される。このように、手動操作部６ｄは、灯体２の土台９に露出するように設けられていて、直に切換え操作が行える。
【００４９】
そして、機械的切換えスイッチ６は、図２に示すように、電源コード２４により点灯ユニット１４に接続され、カレントトランス１３および点灯ユニット１４内の整流装置２０に接続されている。手動操作部６ｄは、同一直線上で首振り操作され、この操作により、発光ダイオード３と、カレントトランス１３の二次巻線(出力巻線)１３ｂおよび中間タップにそれぞれ接続されている一端接続部２１ａ、他端接続部２１ｂおよび中間接続部２１ｃとを選択的に接続する。
【００５０】
そして、保護カバー７は、透光性の例えばポリカーボネート樹脂からなり、図１に示すように、略砲弾形に形成されている。そして、プリズム４および機械的切換えスイッチ６の手動操作部６ｄを内包し灯体２の一端側開口２ｃを覆うようにして、灯体２の一端側２ａに取り付けられている。すなわち、灯体２の一端側２ａは、図２に示すように、環状の段部２５に形成されている。この段部２５の外表面に、図３に示すように、９０°間隔で凸部２６が形成されている。そして、保護カバー７は、図１に示すように、凸部２６を嵌め込むようにして段部２５に取り付けられている。
【００５１】
保護カバー７は、凸部２６の押圧力により段部２５に固定され、その押圧力に対抗することにより段部２５から取り外される。すなわち、保護カバー７を手で掴み、灯体２の中心軸周りに回転させるようにして灯体２の外方側に引き抜くことにより、段部２５から容易に取り外される。逆に、保護カバー７を灯体２の中心軸周りに回転させるようにして灯体２の内方側に押し込むことにより、段部２５に容易に取り付けられる。このように、保護カバー７は、灯体２の一端側２ａに着脱可能に取り付けられている。
【００５２】
そして、灯体２は、その他端側２ｂに、一部が他端側２ｂの内部に挿入された略円筒状の可折接手２７がねじ２８により取り付けられている。灯体２の他端側２ｂの内部に挿入された可折接手２７の部分は、収納箱１１の一部を包囲している。可折接手２７は、例えばアルミニウム(Ａｌ)からなっている。そして、可折接手２７の一端部２７ａからは、点灯ユニット１４に接続されているコネクタ２９付きの電源コード３０が導出されている。
【００５３】
電源コード３０を介して交流定電流電源から電流が点灯ユニット１４に供給されることにより、発光ダイオード３が低光度（例えば、定格の２５％の光度比率）または定格で点灯する。発光ダイオード３から放射された光は、プリズム４で屈折され、保護カバー７を透過して、主として灯体２の周方向側の外方に出射される。
【００５４】
次に、本発明の一実施の形態の作用について述べる。
【００５５】
実用使用時、機械的切換えスイッチ６の固定接点６ｃおよび自由接点６ｂが接続され、点灯装置５の整流装置２０の入力側は、カレントトランス１３の出力巻線(二次巻線)１３ｂ側すなわち一端接続部２１ａおよび他端接続部２１ｂに接続される。そして、電源コード３０を介して点灯ユニット１４に所定の電流（５．２Ａ）が供給されると、発光ダイオード３が所定の光度比率（定格の２５％の光度比率）で点灯する。発光ダイオード３から放射された光は、プリズム４により屈折され、保護カバー７を透過して、主として灯体２の中心軸に対する周方向に出射される。
【００５６】
機械的切換えスイッチ６の手動操作部６ｄは、プリズム４の下面４ｃに対向してプリズム４よりも灯体２の内方側に位置しているので、プリズム３からの出射光が手動操作部６ｄにより遮られない。したがって、灯体２の中心軸に対する周方向を所定の配光で効率的に照明することができる。また、手動操作部６ｄの切換え操作時に指などがプリズム４に触れることが抑制されるので、プリズム４の外表面４ｂが汚れることや傷つくことを抑制できて、所定の配光が損なわれることを防止することができる。
【００５７】
そして、定期点検時には、ＬＥＤ標識灯１は、可折接手２７から取り外されて持ち帰る。発光ダイオード３は、定格点灯されて、光出力などの検査が行われる。ここで、発光ダイオード３を定格点灯させるには、機械的切換えスイッチ６の切換えにより、固定接点６ｃおよび自由接点６ａを接続して、点灯装置５の整流装置２０の入力側がカレントトランス１３の中間タップ側すなわち一端接続部２１ａおよび中間接続部２１ｃに接続されるようにする。そして、電源コード３０を介して点灯ユニット１４に定格電流（６．６Ａ）を供給する。
【００５８】
機械的切換えスイッチ６の切り換えるには、まず、灯体２から保護カバー７を取り外す。すなわち、灯体２を固定した状態で保護カバー７を手で掴み、灯体２の中心軸に対して回転させるようにして灯体２の外方側に引き抜くと、保護カバー７は、灯体２の一端側２ａから容易に取り外される。
【００５９】
機械的切換えスイッチ６は、その手動操作部６ｄが土台９の外表面に露出し灯体２の外方側に突出しているので、直接的に手動による切換え操作が行える。手動操作部６ｄを現位置から反対側に直線上で首振り操作させることにより、固定接点６ｃが自由接点６ｂから自由接点６ａに接続される。
【００６０】
そして、定期点検が終了すると、機械的切換えスイッチ６の手動操作部６ｄは、当初の位置に首振り操作される。これにより、機械的切換えスイッチ６の固定接点６ｃが自由接点６ａから自由接点６ｂに接続される。ここで、手動操作部６ｄの首振り方向を、手動操作部６ｄを挟む台座１２の表面側に例えば「低光度」、「定格」などに記載しておくと、機械的切換えスイッチ６の切換え操作に間違いを生じさせなくすることができる。
【００６１】
そして、保護カバー７を手で掴み、回転させるようにして灯体２の内方側に押し込むことにより、保護カバー７は、灯体２の一端側２ａに容易に取り付けられる。灯体２は、現場で再び可折接手２７に取り付けられ、発光ダイオード３は、低光度で点灯される。
【００６２】
上述したように、保護カバー７を灯体２に容易に着脱させることができ、機械的切換えスイッチ６の手動操作部６ｄを直接的に操作することができるので、発光ダイオード３を低光度または定格で点灯させるために行う発光ダイオード３と点灯装置５のカレントトランス１３の出力巻線(二次巻線)１３ｂまたは中間タップ２１ｃとの選択的な接続作業を容易にかつ迅速に行うことができる。したがって、当該接続作業の作業時間を大幅に削減することができて、省力化を図ることができる。
【００６３】
なお、発光ダイオード３は、その光軸が灯体２の中心軸方向ではなく、当該中心軸方向と交差する方向となるようにして灯体２の土台９に配設されてもよい。また、点灯装置５は、カレントトランス１３によらず、例えばスイッチ素子のスイッチング動作に応じた電流を出力する電源装置を具備し、機械的切換えスイッチ６の手動操作部６ｄの操作により選択的に発光ダイオード３に電流を供給する電流可変形に形成されてもよい。また、光制御手段は、プリズム４に代えて、反射板などにより構成されてもよい。
【図面の簡単な説明】
【００６４】
【図１】本発明の一実施の形態を示すＬＥＤ標識灯の一部切り欠き概略側面図。
【図２】同じく、ＬＥＤ標識灯の保護カバーを取り外した状態の概略側面図。
【図３】同じく、ＬＥＤ標識灯の保護カバーを取り外した状態の概略上面図。
【図４】同じく、プリズムを示し、（ａ）は概略上面図、（ｂ）は概略縦断面図。
【図５】同じく、点灯装置の概略回路図。
【図６】同じく、発光ダイオードからの放射光による配光図。
【図７】同じく、光源の電流に対する光出力の変化を示す特性図。
【符号の説明】
【００６５】
１…ＬＥＤ標識灯
２…灯体
３…発光ダイオード
４…光制御手段としてのプリズム
５…点灯装置
６…機械的切換えスイッチ
７…保護カバー
１２…灯体の取付け部としての台座
１３…カレントトランス
【図１】
0004924891.tif 000002
【図２】
0004924891.tif 000003
【図３】
0004924891.tif 000004
【図４】
0004924891.tif 000005
【図５】
0004924891.tif 000006
【図６】
0004924891.tif 000007
【図７】
0004924891.tif 000008